(57)【要約】      （修正有）【課題】複数種類の書類を分けて収容することができるクリアファイルを提供する。【解決手段】複数のシート基材１０，２０，３０を重ね合わせてシート基材１０，２０，３０間に収容部を形成するとともに、収容部に書類を差し込んで簡易的に収容するクリアファイル１において、第１のシート基材１０乃至第３のシート基材３０を有し、第１のシート基材１０は、前面側２のシート基材１０をなし、第３のシート基材３０は、後面側３のシート基材３０をなし、第２のシート基材２０は、第１のシート基材１０と第３のシート基材３０との間に配置される中間のシート基材２０をなし、収容部は、複数形成されることを特徴とする。【選択図】図１
0003198868.tif 000002
【実用新案登録請求の範囲】
【請求項１】
複数のシート基材を重ね合わせて前記シート基材間に収容部を形成するとともに、前記収容部に書類を差し込んで収容するクリアファイルにおいて、
前記収容部は、複数形成されることを特徴とするクリアファイル。
【請求項２】
前記複数のシート基材のうち相対的に前面側に配置されたシート基材が、相対的に後面側に配置されたシート基材であって前記前面側のシート基材と重なり合うシート基材よりも小さい寸法に設定されることを特徴とする請求項１に記載のクリアファイル。
【請求項３】
前記小さい寸法に設定されたシート基材は、前記書類の差し込み側に傾斜部を有することを特徴とする請求項２に記載のクリアファイル。
【請求項４】
複数のシート基材を重ね合わせて前記シート基材間に収容部を形成するとともに、前記収容部に書類を差し込んで収容するクリアファイルにおいて、
第１のシート基材乃至第３のシート基材を有し、
前記第１のシート基材は、前面側のシート基材をなし、
前記第３のシート基材は、後面側のシート基材をなし、
前記第２のシート基材は、前記第１のシート基材と前記第３のシート基材との間に配置される中間のシート基材をなし、
前記収容部は、複数形成されることを特徴とするクリアファイル。
【請求項５】
前記第１のシート基材は、前記第２のシート基材よりも小さい寸法に設定されることを特徴とする請求項４に記載のクリアファイル。
【請求項６】
前記第１のシート基材は、前記書類の差し込み側に傾斜部を有することを特徴とする請求項５に記載のクリアファイル。
【請求項７】
前記第１のシート基材は、上辺部および側辺部を前記差し込み側とし、前記傾斜部は、前記上辺部から前記側辺部にかけて斜めに切断して形成されることを特徴とする請求項６に記載のクリアファイル。
【請求項８】
前記第１のシート基材の上辺部は、前記第２のシート基材の上辺部の寸法の１０％乃至５０％の寸法に設定されることを特徴とする請求項７に記載のクリアファイル。
【請求項９】
前記第１のシート基材の上辺部は、前記第２のシート基材の上辺部の寸法の２０％乃至４０％の寸法に設定されることを特徴とする請求項７に記載のクリアファイル。
【請求項１０】
前記第１のシート基材の下辺部は、前記第２のシート基材の下辺部の寸法の５０％乃至１００％の寸法に設定されることを特徴とする請求項７に記載のクリアファイル。
【請求項１１】
前記第１のシート基材の下辺部は、前記第２のシート基材の下辺部の寸法の５０％乃至８０％の寸法に設定されることを特徴とする請求項７に記載のクリアファイル。
【請求項１２】
前記第１のシート基材は、切り込みを有することを特徴とする請求項７に記載のクリアファイル。
【請求項１３】
前記第２のシート基材は、前記第１のシート基材および前記第３のシート基材と前記下辺部のみ接合されることを特徴とする請求項１乃至請求項１２に記載のクリアファイル。
【請求項１４】
複数のシート基材を重ね合わせて前記シート基材間に収容部を形成するとともに、前記収容部に書類を差し込んで簡易的に収容するクリアファイルにおいて、
第１のシート基材乃至第３のシート基材を有し、
前記第１のシート基材は、前面側のシート基材をなし、
前記第３のシート基材は、矩形状に形成されて後面側のシート基材をなし、
前記第２のシート基材は、前記第３のシート基材と同寸法の矩形状に形成されるとともに、前記第１のシート基材と前記第３のシート基材との間に配置される中間のシート基材をなし、前記収容部は、複数形成され、
前記第１のシート基材と前記第３のシート基材は、下辺部および左側辺部が接合されるとともに、上辺部および右側辺部が非接合部となる差し込み側をなし、
前記第２のシート基材は、前記第１のシート基材および前記第３のシート基材と下辺部のみ接合され、前記上辺部、前記左側辺部、および前記右側辺部は非接合部をなし、
前記第２のシート基材の上辺部および右側辺部は、前記第１のシート基材および前記第３のシート基材の上辺部および右側辺部とともに差し込み側を形成し、
前記第１のシート基材は、前記第２のシート基材よりも小さい寸法に設定されるとともに、前記上辺部から前記右側辺部にかけて斜めに切断されて前記差し込み側に傾斜部を有し、
前記第１のシート基材の上辺部は、前記第２のシート基材の上辺部の寸法の１０％乃至５０％の寸法に設定され、
前記第１のシート基材の下辺部は、前記第２のシート基材の下辺部の寸法の５０％乃至１００％の寸法に設定され、
前記第１のシート基材の右側辺部は、中間部から上部にかけて前記傾斜部が形成されるとともに、下部に前記下辺部から垂直に立ち上がる垂直部が形成され、
前記第１のシート基材は、下部側の領域に、第１の切り込みと、該第１の切り込みから所定の間隔をおいて形成される第２の切り込みを有し、
前記第１の切り込みは、斜めに形成され、
前記第２切り込みは、前記第１の切り込みに対し点対象または下辺部から垂直に立ち上がるように形成され、
前記第１の切り込みと前記第２の切り込みとの間隔は、名刺サイズに設定されることを特徴とするクリアファイル。
【考案の詳細な説明】
【技術分野】
【０００１】
本考案は、クリアファイルに関し、特にシート基材間に形成される収容部が複数形成されるクリアファイルに関する。
【背景技術】
【０００２】
一般にクリアファイルは、表面シートと裏面シートからなり、これらシート間に形成される収容部に、薄手の書類を差し込んで簡易的に収容するものである。このようなクリアファイルは、例えば、特許文献１または特許文献２に開示される技術が参照される。
【０００３】
【特許文献１】特開２０１４−２１８０２１号
【特許文献２】特開２０１４−１８０８４２号
【考案の開示】
【考案が解決しようとする課題】
【０００４】
しかしながら、上述した従来のクリアファイルは、シート基材間に形成される収容部が唯一つであり、複数種類の書類を分けて収容することができない。打ち合わせや営業等において書類を簡易的に収容する際にも資料の内容に応じてクリアファイルに分けて収容することが強く望まれている。
【０００５】
本考案はこのような事情に鑑みてなされたもので、複数種類の書類を分けて収容することができるクリアファイルを提供することを目的とする。
【課題を解決するための手段】
【０００６】
上記目的を達成するために、請求項１に係る考案は、複数のシート基材を重ね合わせて前記シート基材間に収容部を形成するとともに、収容部に書類を差し込んで収容するクリアファイルにおいて、収容部は、複数形成されることを特徴とする。
【０００７】
本考案によれば、収容部は、複数形成されることとしたので、該収容部に複数種類の書類を分けて収容することができる。
【０００８】
複数のシート基材のうち相対的に前面側に配置されたシート基材が、相対的に後面側に配置されたシート基材であって前面側のシート基材と重なり合うシート基材よりも小さい寸法に設定されることとすれば、重なり合うシート基材間に段差が形成されて収容部に書類等を容易に差し込むことができる（請求項２）。
小さい寸法に設定されたシート基材は、差し込み側に傾斜部を有することとしたので、傾斜部を介して収容部に書類等を更に容易に差し込むことができる（請求項３）。
【０００９】
上記目的を達成するために、請求項４に係る考案は、複数のシート基材を重ね合わせてシート基材間に収容部を形成するとともに、収容部に書類を差し込んで収容するクリアファイルにおいて、第１のシート基材乃至第３のシート基材を有し、第１のシート基材は、前面側のシート基材をなし、第３のシート基材は、後面側のシート基材をなし、第２のシート基材は、第１のシート基材と第３のシート基材との間に配置される中間のシート基材をなし、収容部は、複数形成されることを特徴とする。
【００１０】
本考案によれば、第１のシート基材乃至第３のシート基材を有し、第１のシート基材は、前面側のシート基材をなし、第３のシート基材は、後面側のシート基材をなし、第２のシート基材は、第１のシート基材と第３のシート基材との間に配置される中間のシート基材をなし、収容部は、複数形成されることとしたので、該収容部に複数種類の書類を分けて収容することができる。
【００１１】
第１のシート基材は、第２のシート基材よりも小さい寸法に設定されることとすれば、重なり合うシート基材間に段差が形成されて収容部に書類等を容易に差し込むことができる（請求項５）。
第１のシート基材は、書類の差し込み側に傾斜部を有することとすれば、傾斜部を介して収容部に書類等を更に容易に差し込むことができる（請求項６）。
第１のシート基材は、上辺部および側辺部を差し込み側とし、傾斜部は、上辺部から側辺部にかけて斜めに切断して形成されることとすることができる（請求項７）。
【００１２】
第１のシート基材の上辺部は、第２のシート基材の上辺部の寸法の１０％乃至５０％の寸法に設定されることとすれば（請求項８）、より好ましくは、第１のシート基材の上辺部は、第２のシート基材の上辺部の寸法の２０％乃至４０％の寸法に設定されることとすれば、第１のシート基材が所定の寸法内に規制されて書類等を更に一層容易に差し込むことができるとともに、書類等がクリアファイルから逸脱することも適切に防止することができる（請求項９）。
【００１３】
第１のシート基材の下辺部は、第２のシート基材の下辺部の寸法の５０％乃至１００％の寸法に設定されることとすれば（請求項１０）、より好ましくは、第１のシート基材の下辺部は、第２のシート基材の下辺部の寸法の５０％乃至８０％の寸法に設定されることとすれば（請求項１１）、第１のシート基材が所定の寸法内に規制されて書類等を更に一層容易に差し込むことができるとともに、書類等がクリアファイルから逸脱することも適切に防止することができる。
【００１４】
第１のシート基材は、切り込みを有することとすれば、切り込みに書類等を容易に差し込むことができ、クリアファイルの収容性を向上させることができる（請求項１２）。
【００１５】
第２のシート基材は、第１のシート基材および第３のシート基材と下辺部のみ接合されることとすれば、製造工程が短縮されてクリアファイルの製造コストを低減させることができる。つまり、第２のシート基材は、第１のシート基材と第３のシート基材との間に配置される中間のシート基材をなしており、第１のシート基材および第３のシート基材との接合を下辺部のみとし、左右の側辺部をいずれも非接合部とすることとしても、クリアファイルから書類等が逸脱することなく安定して収容することができる（請求項１３）。
【００１６】
上記目的を達成するために、請求項１４に係る考案は、複数のシート基材を重ね合わせてシート基材間に収容部を形成するとともに、収容部に書類を差し込んで簡易的に収容するクリアファイルにおいて、第１のシート基材乃至第３のシート基材を有し、第１のシート基材は、前面側のシート基材をなし、第３のシート基材は、矩形状に形成されて後面側のシート基材をなし、第２のシート基材は、第３のシート基材と同寸法の矩形状に形成されるとともに、第１のシート基材と第３のシート基材との間に配置される中間のシート基材をなし、収容部は、複数形成され、第１のシート基材と第３のシート基材は、下辺部および左側辺部が接合されるとともに、上辺部および右側辺部が非接合部となる差し込み側をなし、第２のシート基材は、第１のシート基材および第３のシート基材と下辺部のみ接合され、上辺部、左側辺部、および右側辺部は非接合部をなし、第２のシート基材の上辺部および右側辺部は、第１のシート基材および第３のシート基材の上辺部および右側辺部とともに差し込み側を形成し、第１のシート基材は、第２のシート基材よりも小さい寸法に設定されるとともに、上辺部から右側辺部にかけて斜めに切断されて差し込み側に傾斜部を有し、第１のシート基材の上辺部は、第２のシート基材の上辺部の寸法の１０％乃至５０％の寸法に設定され、第１のシート基材の下辺部は、第２のシート基材の下辺部の寸法の５０％乃至１００％の寸法に設定され、第１のシート基材の右側辺部は、中間部から上部にかけて傾斜部が形成されるとともに、下部に下辺部から垂直に立ち上がる垂直部が形成され、第１のシート基材は、下部側の領域に、第１の切り込みと、該第１の切り込みから所定の間隔をおいて形成される第２の切り込みを有し、第１の切り込みは、斜めに形成され、第２切り込みは、第１の切り込みに対し点対象または下辺部から垂直に立ち上がるように形成され、第１の切り込みと第２の切り込みとの間隔は、名刺サイズに設定されることを特徴とする。
【考案の効果】
【００１７】
本考案によれば、複数種類の書類を分けて収容することができる。
【考案を実施するための最良の形態】
【００１８】
以下、本考案の実施形態について図面を参照して詳細に説明する。図１は本考案の実施形態を示すクリアファイルの全体構成を示す平面図、図２は同クリアファイルの寸法を示す平面図、図３は同クリアファイルの全体構成を示す側面図である。なお、以下においては、図１のクリアファイルを正面側から見て上側、下側、左側、右側および前側、後側を規定するものとする。
【００１９】
図１乃至図３を参照してクリアファイル１の概要を説明すると、クリアファイル１は、全体が矩形状に形成されており、上辺部および下辺部が２２０ｍｍ、左右の側辺部が３１０ｍｍに設定されている。クリアファイル１は、透明または半透明の樹脂で形成された複数のシート基材からなり、これら複数のシート基材を重ね合わせて形成されている。クリアファイル１のシート基材間には、収容部が複数形成されている。
【００２０】
すなわち、クリアファイル１は、第１のシート基材１０、第２のシート基材２０、および第３のシート基材３０を有しており、第１のシート基材１０は、前面側２より詳しくは最前面側２（以下、単に前面側２とする）のシート基材１０をなし、第３のシート基材３０は、後面側３より詳しくは最後面側３（以下、単に後面側３とする）のシート基材３０をなし、第２のシート基材２０は、第１のシート基材１０と第３のシート基材３０との間に配置される中間のシート基材２０をなしている。
【００２１】
第１のシート基材１０乃至第３のシート基材３０間には上述した収容部４０，５０が形成されており、第１のシート基材１０乃至第３のシート基材３０の上辺部１１，２１，３１および右側辺部１２，２２，３２には連続する開口が形成されている。つまり上辺部１１，２１，３１および右側辺部１２，２２，３２の連続する開口は、書類の差し込み側として機能し、この差し込み側を介して収容部４０，５０に薄手の書類を簡易的に差し込むことができる。
【００２２】
図１乃至図４に示すように、第１のシート基材１０は、第２のシート基材２０よりも小さい寸法に設定されており、上辺部１１から右側辺部１２にかけて斜めに切断されて差し込み側に傾斜部１３を有している。
【００２３】
すなわち、第１のシート基材１０の右側辺部１２は、中間部から上部にかけて傾斜部１３が形成されており、下部には下辺部１１から垂直に立ち上がる垂直部１４が形成されている。垂直部１４には、三角形状の切り欠き１５が設けられている。傾斜部１３の高さは、２６０ｍｍに設定され、垂直部１４の高さは、５０ｍｍに設定されている。
【００２４】
第１のシート基材１０の上辺部１１は、第２のシート基材２０の上辺部２１の寸法（２２０ｍｍ）の１０％乃至５０％の寸法に設定され、より詳しくは、第２のシート基材２０の上辺部２１の寸法の２０％乃至４０％の寸法に設定されている。具体的には、第１のシート基材１０の上辺部１１の寸法は、７０ｍｍに設定されており、第２のシート基材２０の上辺部２１の寸法（２２０ｍｍ）の３２％となっている。
【００２５】
また、第１のシート基材１０の下辺部１６は、第２のシート基材２０の下辺部２６の寸法（２２０ｍｍ）の５０％乃至１００％の寸法に設定され、より詳しくは、第２のシート基材２０の下辺部２６の寸法の５０％乃至８０％の寸法に設定されている。具体的には、第１のシート基材１０の下辺部１６の寸法は、１４０ｍｍに設定されており、第２のシート基材２０の下辺部２６の寸法（２２０ｍｍ）の６４％となっている。
【００２６】
更に、第１のシート基材１０は、下部側の領域に切り込みを有している。切り込みは、第１の切り込み１７および第２の切り込み１８を含んでいる。
【００２７】
第１の切り込み１７は、斜めにかつ円弧形状に切り込まれており、第２の切り込み１８は、第１の切り込み１７と対向するように形成されている。
【００２８】
すなわち、第２の切り込み１８は、第１の切り込み１７から所定の間隔をおいて形成されるとともに、第１の切り込み１７に対し対称中心Ｏを介して点対称に形成されている。なお、第１の切り込み１７と第２の切り込み１８との間隔は、名刺を差し込み可能な寸法に設定されている。
【００２９】
図５および図６に示すように、第２のシート基材２０および第３のシート基材３０は、いずれも同寸法（同寸法とは略同寸法を含む）の矩形状に形成されている。第２のシート基材２０の右側辺部２２には、上部に円弧形状の切り欠き２３が形成され、下部に三角形状の切り欠き２４が形成されている。
【００３０】
以上の如く構成されたクリアファイル１の形成方法を説明すると次のようになる。
すなわち、まず始めに所定のシート材料を用意し、図７に示すように、左側辺部１９，３９を介して第１のシート基材１０の輪郭と第３のシート基材３０の輪郭とを足し合わせた形状となるようにシート材料を加工する。
【００３１】
続いて、図８に示すように、第１のシート基材１０となる部分の下部側の領域に第１の切り込み１７および第２の切り込み１８を形成する。
次に、所定のシート材料を用意し、図９に示すように、第２のシート基材２０の輪郭形状となるようにシート材料を加工する。
【００３２】
次いで、図１０に示すように、図９の如く加工された第２のシート基材２０を第３のシート基材３０となる部分に相互に輪郭形状が一致するように配置する。
続いて、図１１に示すように、第１のシート基材１０となる部分と第３のシート基材３０となる部分を、左側辺部１９，３９（正確には左側辺部１９，３９に相当する部分）を介して折り畳み、左側辺部１９，３９となる屈曲線を形成する。
【００３３】
そして、図１２に示すように、折り畳まれた状態の第１のシート基材１０乃至第３のシート基材３０の下端縁１６ａ，２６ａ，３６ａを熱溶着等により接合する。これにより、第１のシート基材１０と第３のシート基材３０は、下辺部１６，３６および左側辺部１９，３９が接合されるとともに、上辺部１１，３１および右側辺部１２，３２が非接合部となる差し込み側として機能する。
【００３４】
また、第２のシート基材２０は、第１のシート基材１０および第３のシート基材３０と下辺部２６のみ接合され、上辺部２１、左側辺部２９、および右側辺部２２は非接合部をなし、第２のシート基材２０の上辺部２１および右側辺部２２は、第１のシート基材１０および第３のシート基材３０の上辺部１１，３１および右側辺部１２，３２とともに書類の差し込み側を形成する。これにより、第１のシート基材１０乃至第３のシート基材３０の間に収容部４０，５０が複数形成される。
【００３５】
なお、第２のシート基材２０の上部に形成された切り欠き２３は、指掛用として機能し、第１のシート基材１０の下部に形成された切り欠き１５および第２のシート基材２０の下部に形成された切り欠き２４は、接合した下端縁１６ａ，２６ａ，３６ａの離脱防止用として機能する。
【００３６】
以上説明したように本考案によれば、クリアファイル１は、収容部４０，５０を複数形成することとしたので、該収容部４０，５０に複数種類の書類を分けて収容することができる。
【００３７】
また、第１のシート基材１０は、第２のシート基材２０よりも小さい寸法に設定されているので、重なり合う第１のシート基材１０と第２のシート基材２０の間に段差が形成されて収容部４０，５０に書類等を容易に差し込むことができる。
更に第１のシート基材１０は、書類の差し込み側に傾斜部１３を有することとしたので、傾斜部１３を介して収容部４０，５０に書類等を更に容易に差し込むことができる。
【００３８】
更にまた、第１のシート基材１０の上辺部１１は、第２のシート基材２０の上辺部２１の寸法の１０％乃至５０％の寸法に設定され、より詳しくは、第２のシート基材２０の上辺部２１の寸法の２０％乃至４０％の寸法に設定され、第１のシート基材１０の下辺部１６は、第２のシート基材２０の下辺部２６の寸法の５０％乃至１００％の寸法に設定され、より詳しくは、第２のシート基材２０の下辺部２６の寸法の５０％乃至８０％の寸法に設定されているので、第１のシート基材２０が所定の寸法内に規制されて書類等を更に一層容易に差し込むことができる。また、書類等がクリアファイル１から逸脱することも適切に防止することができる。
【００３９】
また、第２のシート基材２０は、第１のシート基材１０および第３のシート基材３０と下辺側２６のみ接合されることとしたので、製造工程が短縮されてクリアファイル１の製造コストを低減させることができる。つまり、第２のシート基材２０は、第１のシート基材１０と第３のシート基材３０との間に配置される中間のシート基材２０をなしており、第１のシート基材１０および第３のシート基材３０との接合を下辺側１６のみとし、左右の側辺部２２，２９をいずれも非接合部とすることとしても、クリアファイル１から書類が逸脱することなく安定して収容することができる。
【００４０】
なお、本考案は実用新案登録請求の範囲を逸脱しない範囲で種々の変形実施が可能であることは言うまでもない。すなわち、例えば、図１３に示すように、第２のシート基材２０の上辺部２１から左側辺部２２にかけて斜めに切断して第２のシート基材２０にも傾斜部２５を形成することとしてもよい。
【００４１】
すなわち、複数のシート基材１０，２０，３０のうち相対的に前面側に配置されたシート基材１０，２０が、相対的に後面側に配置されたシート基材２０，３０であって、前面側のシート基材１０，２０と重なり合うシート基材２０，３０よりも小さい寸法に設定されるとともに、小さい寸法に設定されたシート基材１０，２０は、書類の差し込み側に傾斜部１３，２５を有することとすれば、第１のシート基材１０と第２のシート基材２０間の収納部４０のみならず、第２のシート基材２０と第３のシート基材３０間の収納部５０においても書類等を容易に差し込むことができる。
【００４２】
また、図１４に示すように、第１のシート基材１０の斜めに形成された第２の切り込み１８に代えて、下辺部１６から垂直に立ち上がるように第２の切り込み１８ａを形成することとしても良い。この場合においても、名刺等を容易に差し込むことができる。
【００４３】
更に、上述した実施形態にあっては、第２のシート基材２０を一枚としているが、複数枚設けることとして、複数の第２のシート基材２０の下辺部２６のみを接合することとしてもよい。すなわち、最前面側のシート基材（第１のシート基材１０）と最後面側のシート基材（第３のシート基材３０）との間に配置されるシート基材（第２のシート基材２０）は、下辺部２６のみを接合することとすればクリアファイル１から書類が逸脱することなく安定して収容することができる。
【産業上の利用可能性】
【００４４】
本考案は、クリアファイルに利用できる。具体的には、複数種類の書類を分けて収容することができ、クリアファイルの利便性を飛躍的向上させ産業の発展に寄与する。
【図面の簡単な説明】
【００４５】
【図１】本考案の実施形態に係るクリアファイルの全体構成を示す平面図である。
【図２】同クリアファイルの寸法を示す平面図である。
【図３】同クリアファイルの全体構成を示す側面図である。
【図４】同クリアファイルの第１のシート基材の構成を示す平面図である。
【図５】同クリアファイルの第２のシート基材の構成を示す平面図である。
【図６】同クリアファイルの第３のシート基材の構成を示す平面図である。
【図７】同クリアファイルの製造方法を示す平面図である。
【図８】同クリアファイルの製造方法を示す図７に続く平面図である。
【図９】同クリアファイルの製造方法を示す図８に続く平面図である。
【図１０】同クリアファイルの製造方法を示す図９に続く平面図である。
【図１１】同クリアファイルの製造方法を示す図１０に続く平面図である。
【図１２】同クリアファイルの製造方法を示す図１１に続く平面図である。
【図１３】本考案の変形例を示す平面図である。
【図１４】本考案の別の変形例を示す平面図である。
【符号の説明】
【００４６】
Ｏ：対称中心、１：クリアファイル、１０：第１のシート基材、１１：上辺部、１２：右側辺部、１３：傾斜部、１４：垂直部、１５：切り欠き、１６：下辺部、１６ａ：下端縁、１７：第１の切り込み、１８：第２の切り込み、１８ａ：第２の切り込み、１９：左側辺部、２０：第２のシート基材、２１：上辺部、２２：右側辺部、２３：切り欠き、２４：切り欠き、２５：傾斜部、２６：下辺部、２６ａ：下端縁、２９：左側辺部、３０：第３のシート基材、３１：上辺部、３２：右側辺部、３６：下辺部、３６ａ：下端縁、３９：左側辺部、４０：第１の収容部、５０：第２の収容部
【図１】
0003198868.tif 000003
【図２】
0003198868.tif 000004
【図３】
0003198868.tif 000005
【図４】
0003198868.tif 000006
【図５】
0003198868.tif 000007
【図６】
0003198868.tif 000008
【図７】
0003198868.tif 000009
【図８】
0003198868.tif 000010
【図９】
0003198868.tif 000011
【図１０】
0003198868.tif 000012
【図１１】
0003198868.tif 000013
【図１２】
0003198868.tif 000014
【図１３】
0003198868.tif 000015
【図１４】
0003198868.tif 000016
【手続補正書】
【提出日】平成27年5月30日(2015.5.30)
【手続補正１】
【補正対象書類名】実用新案登録請求の範囲
【補正対象項目名】全文
【補正方法】変更
【補正の内容】
【実用新案登録請求の範囲】
【請求項１】
複数のシート基材を重ね合わせて前記シート基材間に収容部を形成するとともに、前記収容部に書類を差し込んで収容するクリアファイルにおいて、
前記収容部は、複数形成されることを特徴とするクリアファイル。
【請求項２】
前記複数のシート基材のうち相対的に前面側に配置されたシート基材が、相対的に後面側に配置されたシート基材であって前記前面側のシート基材と重なり合うシート基材よりも小さい寸法に設定されることを特徴とする請求項１に記載のクリアファイル。
【請求項３】
前記小さい寸法に設定されたシート基材は、前記書類の差し込み側に傾斜部を有することを特徴とする請求項２に記載のクリアファイル。
【請求項４】
複数のシート基材を重ね合わせて前記シート基材間に収容部を形成するとともに、前記収容部に書類を差し込んで収容するクリアファイルにおいて、
第１のシート基材乃至第３のシート基材を有し、
前記第１のシート基材は、前面側のシート基材をなし、
前記第３のシート基材は、後面側のシート基材をなし、
前記第２のシート基材は、前記第１のシート基材と前記第３のシート基材との間に配置される中間のシート基材をなし、
前記収容部は、複数形成されることを特徴とするクリアファイル。
【請求項５】
前記第１のシート基材は、前記第２のシート基材よりも小さい寸法に設定されることを特徴とする請求項４に記載のクリアファイル。
【請求項６】
前記第１のシート基材は、前記書類の差し込み側に傾斜部を有することを特徴とする請求項５に記載のクリアファイル。
【請求項７】
前記第１のシート基材は、上辺部および側辺部を前記差し込み側とし、前記傾斜部は、前記上辺部から前記側辺部にかけて斜めに切断して形成されることを特徴とする請求項６に記載のクリアファイル。
【請求項８】
前記第１のシート基材の上辺部は、前記第２のシート基材の上辺部の寸法の１０％乃至５０％の寸法に設定されることを特徴とする請求項７に記載のクリアファイル。
【請求項９】
前記第１のシート基材の上辺部は、前記第２のシート基材の上辺部の寸法の２０％乃至４０％の寸法に設定されることを特徴とする請求項７に記載のクリアファイル。
【請求項１０】
前記第１のシート基材の下辺部は、前記第２のシート基材の下辺部の寸法の５０％乃至１００％の寸法に設定されることを特徴とする請求項７に記載のクリアファイル。
【請求項１１】
前記第１のシート基材の下辺部は、前記第２のシート基材の下辺部の寸法の５０％乃至８０％の寸法に設定されることを特徴とする請求項７に記載のクリアファイル。
【請求項１２】
前記第１のシート基材は、切り込みを有することを特徴とする請求項７に記載のクリアファイル。
【請求項１３】
前記第２のシート基材は、前記第１のシート基材および前記第３のシート基材と前記下辺部のみ接合されることを特徴とする請求項１０又は請求項１１に記載のクリアファイル。
【請求項１４】
複数のシート基材を重ね合わせて前記シート基材間に収容部を形成するとともに、前記収容部に書類を差し込んで簡易的に収容するクリアファイルにおいて、
第１のシート基材乃至第３のシート基材を有し、
前記第１のシート基材は、前面側のシート基材をなし、
前記第３のシート基材は、矩形状に形成されて後面側のシート基材をなし、
前記第２のシート基材は、前記第３のシート基材と同寸法の矩形状に形成されるとともに、前記第１のシート基材と前記第３のシート基材との間に配置される中間のシート基材をなし、前記収容部は、複数形成され、
前記第１のシート基材と前記第３のシート基材は、下辺部および左側辺部が接合されるとともに、上辺部および右側辺部が非接合部となる差し込み側をなし、
前記第２のシート基材は、前記第１のシート基材および前記第３のシート基材と下辺部のみ接合され、前記上辺部、前記左側辺部、および前記右側辺部は非接合部をなし、
前記第２のシート基材の上辺部および右側辺部は、前記第１のシート基材および前記第３のシート基材の上辺部および右側辺部とともに差し込み側を形成し、
前記第１のシート基材は、前記第２のシート基材よりも小さい寸法に設定されるとともに、前記上辺部から前記右側辺部にかけて斜めに切断されて前記差し込み側に傾斜部を有し、
前記第１のシート基材の上辺部は、前記第２のシート基材の上辺部の寸法の１０％乃至５０％の寸法に設定され、
前記第１のシート基材の下辺部は、前記第２のシート基材の下辺部の寸法の５０％乃至１００％の寸法に設定され、
前記第１のシート基材の右側辺部は、中間部から上部にかけて前記傾斜部が形成されるとともに、下部に前記下辺部から垂直に立ち上がる垂直部が形成され、
前記第１のシート基材は、下部側の領域に、第１の切り込みと、該第１の切り込みから所定の間隔をおいて形成される第２の切り込みを有し、
前記第１の切り込みは、斜めに形成され、
前記第２切り込みは、前記第１の切り込みに対し点対象または下辺部から垂直に立ち上がるように形成され、
前記第１の切り込みと前記第２の切り込みとの間隔は、名刺サイズに設定されることを特徴とするクリアファイル。